(57)【要約】【課題】  簡単な構造で容易にテールブラシを再生できるシールド掘進機のテールシールを提供する。【解決手段】  シールドフレーム２のテール部３に、セグメント壁４に押し付けられるテールブラシ５を繰り出し可能に設けたものである。【選択図】  図１
2005127049.tif 000002
【特許請求の範囲】
【請求項１】
シールドフレームのテール部に、セグメント壁に押し付けられるテールブラシを繰り出し可能に設けたことを特徴とするシールド掘進機のテールシール。
【請求項２】
上記テールブラシに、その繰り出し量を制限するストッパを設けた請求項１記載のシールド掘進機のテールシール。
【請求項３】
上記テールブラシと上記ストッパとの間にテンションメンバを介設した請求項２記載のシールド掘進機のテールシール。
【請求項４】
上記テール部に複数の上記テールブラシを掘進方向に離間して設け、これらテールブラシを上記テンションメンバで連結した請求項３記載のシールド掘進機のテールシール。
【請求項５】
上記シールドフレームに上記ストッパの移動を規制する係止部材を取り外し可能に設けた請求項２〜４いずれかに記載のシールド掘進機のテールシール。
【請求項６】
上記係止部材は、上記ストッパの移動を段階的に規制するように上記シールドフレームに複数段設けられた請求項５記載のシールド掘進機のテールシール。
【発明の詳細な説明】
【技術分野】
【０００１】
本発明は、シールド掘進機のテールシールに関するものである。
【背景技術】
【０００２】
近年、シールド掘進機を長距離掘進させる工事の需要が高まっており、掘進につれて消耗する部品をいかに長距離掘進に対応させるかが課題となっている。
【０００３】
そして、図９に示すように、シールド掘進機３０のテール部３１に設けられシールド掘進機３０内で組み立てられたセグメント壁４とテール部３１の間をシールするテールブラシ３２についても、様々な対応策が考えられている。
【０００４】
例えば、特許文献１記載の技術を用いてテールブラシを交換する方法がある。この方法は、図１０に示すように、テール部３３に袋体３４を設けると共に袋体３４に流体を供給して膨らませるための配管３５を設け、袋体３４を膨らませてテール部３３とセグメント壁４との間を塞いだのち、袋体３４の掘進方向前側に組み立てられたセグメント壁４を周方向に順次取り外しながらテールブラシ３２を交換するものである。これによれば、シールされた空間内で容易にテールブラシ３２を交換することができ、摩耗したテールブラシ３２を容易に再生することができる。
【０００５】
【特許文献１】特開平９−３１０５８３号公報
【特許文献２】特開平１１−２１７９９６号公報
【発明の開示】
【発明が解決しようとする課題】
【０００６】
しかしながら、上述の方法では袋体３４の後側に配置される最後段のテールブラシ３２を交換できないという課題があった。そして、最後段のテールブラシ３２も交換可能な方法として特許文献２記載の技術もあるが、この技術は、図１１に示すように、テールブラシ３２を植設した薄板３６をテール部３７に前後スライド自在に設けると共に、この薄板３６の後側に上述と同様の袋体３８と配管（図示せず）とを設けるものであるため、シールドフレーム３９に油圧シリンダ４０等を設けなければならず、構造が複雑になると共にコストが高くなるという問題があった。
【０００７】
そこで本願発明の目的は、上記課題を解決し、簡単な構造で容易にテールブラシを再生できるシールド掘進機のテールシールを提供することにある。なお、ここで説明するテールブラシは、ワイヤブラシ、ウレタンブラシ、ゴムブラシなど全てのブラシを含む。
【課題を解決するための手段】
【０００８】
上記目的を達成するために本願発明は、シールドフレームのテール部に、セグメント壁に押し付けられるテールブラシを繰り出し可能に設けたものである。
【０００９】
上記テールブラシには、その繰り出し量を制限するストッパを設けるとよく、上記テールブラシと上記ストッパとの間にテンションメンバを介設するとよい。
【００１０】
そして、上記テール部に複数の上記テールブラシを掘進方向に離間して設け、これらテールブラシを上記テンションメンバで連結するとよい。
【００１１】
また、上記シールドフレームに上記ストッパの移動を規制する係止部材を取り外し可能に設けるとよい。上記係止部材は、上記ストッパの移動を段階的に規制するように上記シールドフレームに複数段設けられるとよい。
【発明の効果】
【００１２】
本願発明によれば、簡単な構造で容易にテールブラシを再生できる。
【発明を実施するための最良の形態】
【００１３】
図１はシールド掘進機のテールシールの側断面図であり、図２は図１のＡ−Ａ線矢視断面図であり、図３はテール部の斜視断面図である。
【００１４】
図１及び図３に示すように、シールド掘進機１４のテールシール１は、シールドフレーム２のテール部３に、セグメント壁４に押し付けられるテールブラシ５を繰り出し可能に設けて構成されている。具体的には、テール部３には、テールブラシ５を繰り出し可能に収容するためのブラシ収容部６が前後に離間して複数形成されており、それぞれのブラシ収容部６にテールブラシ５を多段に収容するようになっている。ブラシ収容部６は、それぞれテール部３の内周に窪みを形成すると共に窪みの内周側にテールブラシ５をガイドするため蓋板７を設けて構成されている。窪みは、後側へ向かうにつれてその深さを徐々に浅くするように形成されており、テールブラシ５の後端側を径方向内側へ向けるように形成されている。
【００１５】
そして、テール部３には、ブラシ収容部６から露出されるテールブラシ５を外周側から径方向内側へ押圧するための板バネ（図示せず）が全周に渡って複数設けられており、テールブラシ５を確実にセグメント壁４に密着させるように構成されている。また、それぞれのテールブラシ５は、ブラシ収容部６内に収容される長さにブラシ収容部６外に露出される長さを加えた長尺に形成されている。
【００１６】
そして、テールブラシ５には、その繰り出し量を制限するストッパ８がテンションメンバ９を介して設けられている。ストッパ８は、ブラシ収容部６と略同径のリング状に形成されており、シールドフレーム２の内周面に形成された環状のガイド溝１０内に軸方向にスライド可能に収容されている。
【００１７】
また、シールドフレーム２のガイド溝１０内には、ストッパ８の移動を規制するための係止部材１１が取り外し可能に設けられている。具体的には、図２及び図３に示すように、係止部材１１は、金属にて弧状に形成されており、ガイド溝１０内に周方向に並べてボルト締めされている。周方向に並ぶ係止部材１１は、軸方向の長さを全て同じに形成されており、ストッパ８をシールドフレーム２と同軸上に係止するようになっている。またさらに、図１及び図３に示すように、係止部材１１はガイド溝１０内に軸方向に複数段並べて設けられており、ストッパ８に当接している前段側から取り外すことでストッパ８の移動を段階的に規制するように構成されている。そして、図１及び図２に示すように、係止部材１１の外周側には、後述するテンションメンバ９をかわすための切欠１２が形成されており、テンションメンバ９に干渉しないようになっている。
【００１８】
テンションメンバ９はワイヤ等からなり、ストッパ８に周方向に複数並べて設けられている。また、それぞれのテンションメンバ９には上述した前後複数段のテールブラシ５がそれぞれ設けられており、それぞれのテールブラシ５の繰り出し量を一括して制限できるようになっている。
【００１９】
そして、シールドフレーム２には、それぞれのテンションメンバ９を前後スライド可能に収容するための収容溝１３が形成されている。収容溝１３は、ガイド溝１０とブラシ収容部６とに連通されており、テンションメンバ９をまっすぐに延ばして収容するようになっている。
【００２０】
本実施の形態の作用を述べる。
【００２１】
テールブラシ５が摩滅する所定の距離だけシールド掘進機１４が掘進したら、掘進を一旦止め、図１に示す係止部材１１のうちストッパ８に当接している最前段の係止部材１１を全周に渡ってシールドフレーム２から取り外す。なお、テールブラシ５の摩耗は、ブラシの中にセンサ（図示せず）等を設置し、検知しても良い。
【００２２】
掘進を再開すると、土圧によってセグメント壁４に押し付けられているテールブラシ５は、セグメント壁４との摩擦で相対的に後方へ引かれる。このとき、ストッパ８は係止部材１１に当たっていないため、テールブラシ５と共に後方へスライドし、図４に示すように、取り外していない次の段の係止部材１１に当たって止まる。これにより、それぞれの段のテールブラシ５は取り外した係止部材１１の軸方向の長さの分だけ繰り出され、再生される。また、ストッパ８が係止部材１１に当たった後は、テールブラシ５は後方への移動を規制されるため、必要以上に繰り出されることはない。
【００２３】
そして、シールド掘進機１４が所定の距離掘進したらストッパ８に当接している最前段の係止部材１１を取り外して掘進を始めるという上述と同様の手順を繰り返すことでテールブラシ５をその都度繰り出して再生することができ、テールブラシ５のシール機能を長距離に渡って維持し続けることができる。また、図５に示すように、全ての係止部材１１を取り外したらストッパ８はガイド溝１０の後端に当接して止まるため、テールブラシ５が後方へ抜け落ちることはない。
【００２４】
このように、シールドフレーム２のテール部３に、セグメント壁４に押し付けられるテールブラシ５を繰り出し可能に設けたため、簡単な構造で容易にテールブラシ５を再生できる。
【００２５】
また、テールブラシ５に、その繰り出し量を制限するストッパ８を設けたため、ストッパ８を調節することで容易にテールブラシ５の繰り出し量を決定できる。
【００２６】
そして、テールブラシ５とストッパ８との間にテンションメンバ９を介設したため、簡単な構造でシールド掘進機１４内の任意の位置にストッパ８を設けることができ、テールブラシ５の繰り出し操作を容易に行うことができる。
【００２７】
また、テール部３に複数のテールブラシ５を掘進方向に離間して設け、これらテールブラシ５をテンションメンバ９で連結したため、それぞれの段のテールブラシ５を一括して容易に繰り出すことができる。
【００２８】
そして、シールドフレーム２にストッパ８の移動を規制する係止部材１１を取り外し可能に設けたため、係止部材１１を取り外すだけで容易にテールブラシ５を繰り出すことができる。また、それぞれの係止部材１１の軸方向の長さを同じに形成し、係止部材１１をストッパ８に沿ってリング状に配置するため、ストッパ８を確実にシールドフレーム２と同軸上に配置することができ、テールブラシ５を全周に亘って均一に繰り出すことができる。
【００２９】
そしてさらに、ストッパ８の移動を段階的に規制するようにシールドフレーム２に係止部材１１を複数段設けたため、テールブラシ５を容易に段階的に繰り出すことができる。
【００３０】
なお、テンションメンバ９はワイヤからなるものとしたが、これに限るものではなく、棒状のものからなるものとしてもよい。この場合、棒状のテンションメンバにテンションメンバを後方へ押すプッシャ（図示せず）を設け、テンションメンバを後方へ押すことでテールブラシ５を強制的に繰り出すように構成してもよい。
【００３１】
そして、テールブラシ５はストッパ８で止めるものとしたが、シールドフレーム２にテールブラシ５を送り出す送り装置（図示せず）を設け、テールブラシ５を微小速度で連続的に送り出すように構成してもよい。
【００３２】
また、それぞれの段のテールブラシ５を全て繰り出し可能に設けるものとしたが、これに限るものではない。例えば図６に示すように、いずれか摩耗しやすい段のテールブラシ５のみを繰り出し可能に設けてもよい。この場合、他の段には従来からある通常のテールブラシ２０を設けるとよい。
【００３３】
そして、ガイド溝１０内に係止部材１１を設けてストッパ８を係止するものとしたが、ストッパ８を係止する機構はこれに限るものではなく他の機構で構成してもよい。例えば図７に示すように、シールドフレーム２とストッパ２１とを軸方向に延びるボルト２２とナット２３とで止め、ナット２３の緩め加減でストッパ２１の移動を規制するように構成してもよい。
【００３４】
また、テールブラシ５にテンションメンバ９を介してストッパ８を設けるものとしたが、これに限るものではなく、図８に示すように、テールブラシ２４にストッパ２５を直接設けてもよい。この場合、テールブラシ２４を十分長く形成するとよい。
【図面の簡単な説明】
【００３５】
【図１】テールシールの側断面図である。
【図２】図１のＡ−Ａ線矢視断面図である。
【図３】シールド掘進機のテール部の斜視断面図である。
【図４】テールブラシを一段繰り出したテールシールの側断面図である。
【図５】テールブラシを完全に繰り出したテールシールの側断面図である。
【図６】他の実施の形態を示すテールシールの側断面図である。
【図７】他の実施の形態を示すテールシールの要部側断面図である。
【図８】他の実施の形態を示すテールシールの要部側断面図である。
【図９】従来のシールド掘進機の概略側断面図である。
【図１０】従来のテールシールの側断面図である。
【図１１】（ａ）は従来のテールシールがシールドフレームとセグメント壁との間をシールしている状態の側断面図あり、（ｂ）は機内側へ引き込み中のテールシールの側断面図であり、（ｃ）は機内側へ完全に引き込んだテールシールの側断面図である。
【符号の説明】
【００３６】
１  テールシール
２  シールドフレーム
３  テール部
４  セグメント壁
５  テールブラシ
８  ストッパ
９  テンションメンバ
１１  係止部材
１４  シールド掘進機
【図１】
2005127049.tif 000003
【図２】
2005127049.tif 000004
【図３】
2005127049.tif 000005
【図４】
2005127049.tif 000006
【図５】
2005127049.tif 000007
【図６】
2005127049.tif 000008
【図７】
2005127049.tif 000009
【図８】
2005127049.tif 000010
【図９】
2005127049.tif 000011
【図１０】
2005127049.tif 000012
【図１１】
2005127049.tif 000013